(57)【要約】【課題】紐を引いたときにベーゴマに適正に回転力を伝えることが可能なベーゴマ回転具を提供する。【解決手段】ベーゴマ回転具１００は、紐１１０に連結されベーゴマＢの円錐部の頂点に被せるアンカー部１２０を備え、アンカー部１２０は、ベーゴマＢの円錐部の頂点に被せる部分の外周部の平面視形状が真円形であり、アンカー部１２０をベーゴマＢの円錐部の頂点に被せ、紐１１０をベーゴマＢの円錐部の頂点と略同心円状にアンカー部１２０の外周部からベーゴマＢの円錐部へ巻き付けられることを特徴とする。アンカー部１２０をベーゴマＢの円錐部の頂点に被せることで、紐１１０をアンカー部１２０の外周部からベーゴマＢの円錐部へ順次巻き付けた際に、紐１１０をベーゴマＢに対して、略同心円状に巻き付けることができる。このようにして、紐１１０を引くときの回転力が適正にベーゴマＢに伝わる。【選択図】図１
2018000566.tif 000002
【特許請求の範囲】
【請求項１】
ベーゴマを回すためのベーゴマ回転具であって、
紐に連結されベーゴマの円錐部の頂点に被せるアンカー部を備え、
前記アンカー部は、前記ベーゴマの円錐部の頂点に被せる部分の外周部の平面視形状が真円形又は正多角形であり、
前記アンカー部を前記ベーゴマの円錐部の頂点に被せ、前記紐を前記ベーゴマの円錐部の頂点と略同心円状に前記アンカー部の外周部から前記ベーゴマの円錐部へ巻き付けられることを特徴とする、ベーゴマ回転具。
【請求項２】
前記アンカー部は、シリコンゴム、合成ゴム、エラストマー、合成樹脂又は軟質プラスチックのいずれかで構成されることを特徴とする、請求項１に記載のベーゴマ回転具。
【請求項３】
前記アンカー部は、前記紐を通す構造又は前記紐を挟み込む構造を有し、前記紐の任意の部位に装着できることを特徴とする、請求項１又は２に記載のベーゴマ回転具。
【請求項４】
前記アンカー部の外周部に、前記紐のガイド溝を設けたことを特徴とする、請求項１〜３のいずれかに記載のベーゴマ回転具。
【請求項５】
前記アンカー部に、前記紐よりも平たい帯紐部を設け、
前記紐は、前記帯紐部に連結されることを特徴とする、請求項１〜４のいずれかに記載のベーゴマ回転具。
【請求項６】
前記紐と前記帯紐部とは、カシメ、接着又は縫合のいずれかにより結合されることを特徴とする、請求項５に記載のベーゴマ回転具。
【請求項７】
前記アンカー部は、複数のパーツからなる分割リング形柱状又は分割正多角形柱状であり、
前記複数のパーツがフレキシブルなアームで連結されていることを特徴とする、請求項１〜６のいずれかに記載のベーゴマ回転具。
【請求項８】
前記アンカー部に、前記ベーゴマの円錐部を覆い前記紐を巻き付ける際に前記紐の下敷きとなるフランジ部を設けたことを特徴とする、請求項１〜７のいずれかに記載のベーゴマ回転具。
【請求項９】
前記アンカー部の底面は、前記ベーゴマの円錐部に対応するテーパー形状であることを特徴とする、請求項１〜８のいずれかに記載のベーゴマ回転具。
【発明の詳細な説明】
【技術分野】
【０００１】
本発明は、ベーゴマを回転させるためのベーゴマ回転具に関する。
【背景技術】
【０００２】
ベーゴマ（貝独楽、べいごま、ばいごまとも称される）は通常のコマと異なり、上部に突起が突出していない。このため、ベーゴマを回すための紐を掛けるのが難しい。従来のベーゴマを回すための紐は、予め２つの結び目を形成しておき、ベーゴマ下側の円錐部の円錐頂点に対称となるように２つの結び目を正確に位置させて、それらをアンカー（ボビン）にして円錐頂点からできるだけ同心円状になるように紐を巻き付けていた。
【先行技術文献】
【非特許文献】
【０００３】
【非特許文献１】インターネット＜ＵＲＬ：https://ja.wikipedia.org/wiki/%E3%83%99%E3%83%BC%E3%82%B4%E3%83%9E＞
【発明の概要】
【発明が解決しようとする課題】
【０００４】
ところで、紐はベーゴマ表面を滑りやすいため、紐の二つの結び目が円錐頂点の対称位置からずれやすい。このため、巻いた紐が、円錐頂点を中心とする同心円状とならなかったり、楕円形に巻き上がったりした。巻いた紐がベーゴマの円錐頂点と同心円状とならないと、紐を引くことによって加えられる回転力の中心がベーゴマ中心からずれてしまい、ベーゴマを回転させたときにベーゴマが水平にならず傾いたまま回転してしまい適正な回転ができなかった。また、紐が楕円状に巻き上がると、紐を引いたときにベーゴマに伝わる回転力が一定ではなくなり（パルス状となり）、回転力の伝達が効率的ではなかった。
【０００５】
そこで本発明は、このような問題に鑑みてなされたものであり、その目的とするところは、紐を引いたときにベーゴマに適正に回転力を伝えることが可能な、新規かつ改良されたベーゴマ回転具を提供することにある。
【課題を解決するための手段】
【０００６】
上記課題を解決するために、本発明によれば、ベーゴマを回すためのベーゴマ回転具であって、紐に連結されベーゴマの円錐部の頂点に被せるアンカー部を備え、前記アンカー部は、前記ベーゴマの円錐部の頂点に被せる部分の外周部の平面視形状が真円形又は正多角形であり、前記アンカー部を前記ベーゴマの円錐部の頂点に被せ、前記紐を前記ベーゴマの円錐部の頂点と略同心円状に前記アンカー部の外周部から前記ベーゴマの円錐部へ巻き付けられることを特徴とする、ベーゴマ回転具が提供される。
【０００７】
なお、外周部の平面視形状が真円形又は正多角形であるとは、アンカー部を上部又は底部から見た形状（投影した形状、平面視）が、真円形又は正多角形であることを言う。このようなアンカー部の形状としては、例えば、真円又は正多角形のリング柱状（ちくわ状）、上部が閉じたリング柱状（盲孔）、円錐形状、正多角形錐状、円錐台形状、正多角形錐台形状などであったり、あるいは、これらの一部が欠けた形状（部分リング柱状、部分多角形柱状、分割リング柱状、分割多角形柱状など）などである。すなわち、アンカー部の外周部の形状は、外周部に紐を巻き付けたときに、紐を略同心円状に巻き付けられる形状である。
【０００８】
かかる構成によれば、アンカー部の平面視形状が真円形又は正多角形部分（キャップ部分、カップ部分、蓋部分）をベーゴマの円錐部の頂点に被せる（覆う）ことで、紐をアンカー部の外周部からベーゴマの円錐部へ順次巻き付けた際に、紐をベーゴマに対して、略同心円状に巻き付けることができる。このようにして、紐を引くときの回転力が適正にベーゴマに伝わるようにすることが可能である。
【０００９】
本発明は以下のようなさまざまな応用が可能である。以下に説明する本発明の応用例は、適宜組み合わせることが可能である。
【００１０】
例えば、前記アンカー部は、シリコンゴム、合成ゴム、エラストマー、合成樹脂又は軟質プラスチックのいずれかで構成されるようにしてもよい。かかる構成によれば、アンカー部が、弾力があり摩擦抵抗が大きく滑りにくい材質により構成されることで、紐からの回転力を効果的にベーゴマに伝えることができる。
【００１１】
また、前記アンカー部は、前記紐を通す構造又は前記紐を挟み込む構造を有し、前記紐の任意の部位に装着できるようにしてもよい。かかる構成によれば、アンカー部を紐の任意の位置に設けることができる。
【００１２】
また、前記アンカー部の外周部に、前記紐のガイド溝を設けてもよい。かかる構成によれば、紐が容易に巻き付けられるとともに、紐をアンカー部にも余分に巻き付けられる。これにより、紐からの回転力を効果的にベーゴマに伝えることができる。なお、紐をガイドする機能を果たしていれば、溝以外の形態、例えば峰形状や突起などであってもよい。
【００１３】
また、前記アンカー部に、前記紐よりも平たい帯紐部を設け、前記紐は、前記帯紐部に連結されるようにしてもよい。帯紐部は、アンカー部の両端の対称位置に設けてもよい。かかる構成によれば、アンカー部に平たい帯紐部（バンド）を設け、ベーゴマの円錐頂点に被せるように装着して紐を巻き付ける際に、紐との重なり部分の厚さを薄くするようにしたことで、紐をベーゴマに対してより平らに巻きつけることができる。このようにして、紐からの回転力を効果的にベーゴマに伝えることができる。
【００１４】
また、前記紐と前記帯紐部とは、カシメ、接着又は縫合のいずれかにより結合されるようにしてもよい。かかる構成によれば、紐と帯紐部とを容易に結合することができる。また、必要に応じて紐だけを交換することもできる。
【００１５】
また、前記アンカー部は、複数のパーツからなる分割リング形柱状又は分割正多角形柱状であり、前記複数のパーツがフレキシブルなアームで連結されていてもよい。かかる構成によれば、アンカー部をリング又は多角形を分割しそれぞれをフレキシブルなアームでつなぎ、間隔を縮められる形状としたことで、紐を巻くと縮まって真円形（正円形）又は正多角形を形成する。このため、紐の引き終わりのときには自らの復元力により素早く広がって、元の形状に復元する。このようにして、アンカー部が、ベーゴマの円錐頂点から容易に離脱できる。
【００１６】
また、前記アンカー部に、前記ベーゴマの円錐部を覆い前記紐を巻き付ける際に前記紐の下敷きとなるフランジ部を設けてもよい。かかる構成によれば、アンカー部をベーゴマの円錐部の頂点にしっかりと固定することができる。すなわち、フランジ部の上に紐を巻き付けていくので、ベーゴマの円錐部にフランジ部が押し付けられて固定され、その結果、アンカー部も円錐部の頂点にしっかりと固定される。
【００１７】
また、前記アンカー部の底面は、前記ベーゴマの円錐部に対応するテーパー形状であってもよい。かかる構成によれば、アンカー部の底面が、ベーゴマの円錐部に密着する面積が大きくなるので、アンカー部がずれにくい、このため紐が巻きやすくなるとともに、紐からの回転力を効果的にベーゴマに伝えることができる。
【発明の効果】
【００１８】
本発明によれば、紐を同心円状に近い形で巻くことができるので、紐を引くときの回転力がほぼ一定の強さでベーゴマに伝わり、紐を引いたときにベーゴマに適正に回転力を伝えることが可能である。本発明のその他の効果については、以下の発明を実施するための形態の項でも説明する。
【図面の簡単な説明】
【００１９】
【図１】（第１の実施形態）ベーゴマ回転具の構成を示す図である。
【図２】（第１の実施形態）ベーゴマ回転具をベーゴマに装着する前後の状態を示す図である。
【図３】（第２の実施形態）ベーゴマ回転具をベーゴマに装着する前後の状態を示す図である。
【図４】（第３の実施形態）ベーゴマ回転具をベーゴマに装着する前後の状態を示す図である。
【図５】（第３の実施形態）紐と帯紐部との結合の仕方を示す図である。
【図６】（第４の実施形態）ベーゴマ回転具をベーゴマに装着する前後の状態を示す図である。
【図７】（第５の実施形態）ベーゴマ回転具をベーゴマに装着した状態を示す図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
（第１の実施形態）
第１の実施形態にかかるベーゴマ回転具１００について、図１、図２を参照しながら説明する。
本実施形態のベーゴマ回転具１００は、図１及び図２に示したように、紐１１０に連結されるアンカー部１２０を備えたことを特徴とする。図１（ａ）はアンカー部１２０に紐１１０が装着された状態を示し、図１（ｂ）はアンカー部１２０を示す。図２は、ベーゴマ回転具をベーゴマに装着する前後の状態を示す図である。なお、ベーゴマＢについては、普及品を用いてもよく、また、ベーゴマ回転具１００に適合するように特製品のベーゴマを用いてもよい。以下では、ベーゴマ自体の詳細な説明は割愛し、ベーゴマ回転具１００の各構成要素について詳細に説明する。
【００２２】
（紐１１０）
本実施形態の紐１１０は、図１（ａ）に示したように、一般的なベーゴマに用いられる紐と同様の構成である。紐１１０は、例えば、太さが数ミリで長さが１００〜１２０ｃｍ程度の撚り紐である。紐１１０自体は、一般的なベーゴマに用いられる紐と同様の構成とすることができるため、これ以上の詳細な説明は省略する。本実施形態では、この紐１１０に、以下に説明するアンカー部１２０が装着されることを特徴とする。
【００２３】
（アンカー部１２０）
本実施形態に特徴的な構成要素であるアンカー部１２０について説明する。
アンカー部１２０は、図１（ａ）、（ｂ）に示したように、リング状であり、外周部１２２と、紐係止部１２４と、ロック部１２６とを備えて構成される。アンカー部１２０は、弾力があり摩擦抵抗が大きく滑りにくい材質により構成されている。このような材質としては、シリコンゴムや合成ゴムやエラストマーや弾力を有する合成樹脂（軟質プラスチック）などを採用することができる。
【００２４】
アンカー部１２０のリング状とは、外形が円柱形状であり、アンカー部１２０を上部又は底部から見た形状（投影した形状、平面視）が真円形であり、高さの全方向に外形と同軸に中空（円筒状・ちくわ状）である。ただし、中空は、高さの全方向に形成されていなくてもよく、高さの一方向から途中まで孔が形成され、高さの他方向が閉じている孔（盲孔とも称される）であってもよい。
【００２５】
外周部１２２は、図１（ｂ）に示したように、肉薄部１２２ａを介して、左右対称に外周部のパーツ１２２−１、１２２−２が形成されている。外周部１２２の底部には円弧状の切り欠き１２２ｂが対向して２つ形成されており、そこに紐１１０が通される。なお、切り欠きではなく、紐を通すための穴を形成してもよい。外周部１２２の内壁面には、紐１１０を係止する紐係止部１２４が突出して形成されている。外周部１２２の先端には、外周部のパーツ１２２−１、１２２−２を閉じた状態を維持するためのロック部１２６が形成されている。
【００２６】
紐係止部１２４は、図１（ｂ）に示したように、外周部１２２の内壁面に形成されている。紐係止部１２４は、左右の外周部１２２の一方のパーツ１２２−１から棒状に起立し、アンカー部１２０を閉じたときに、外周部１２２の他方のパーツ１２２−２に達する直前程度の長さにまで形成されている。もしくは、他方のパーツ１２２−２に設けた勘合穴に勘合するように形成してもよい。すなわち、紐係止部１２４は、紐１１０が通されてアンカー部１２０が閉じたときに、紐１１０の係止が外れず、紐１１０が抜け落ちない長さに形成される。
【００２７】
ロック部１２６は、外周部のパーツ１２２−１、１２２−２を開閉自在にするためのものであり、図１（ｂ）に示したように、鍵状など任意の形状で構成することができる。このロック部１２６によって外周部のパーツ１２２−１、１２２−２を閉じたときには、アンカー部１２０は、図１（ａ）に示したように、リング状になる。
【００２８】
アンカー部１２０は以上のように構成されている。次に、アンカー部１２０の使用方法について説明する。
【００２９】
まず、図１（ｂ）に示したように、アンカー部１２０が開いた状態で、紐１１０は、一方の切り欠き１２２ｂから外周部１２２の中に導入される。そして、紐１１０は、紐係止部１２４の上部に係止された後、他方の切り欠き１２２ｂから導出される。このようにして、紐１１０がアンカー部１２０に通された状態となる。そして、ロック部１２６により、アンカー部１２０が閉じた状態が維持される（図１（ａ））。
【００３０】
以上、本実施形態にかかるベーゴマ回転具１００の構成について説明した。次に、ベーゴマ回転具１００の使用方法（紐の掛け方）について説明する。
【００３１】
図２（ａ）は、ベーゴマ回転具１００のアンカー部１２０をベーゴマＢに装着する位置を示す図である。図２（ｂ）は、アンカー部１２０をベーゴマＢの円錐頂点に被せ、ベーゴマＢの外周部に紐を巻き始めた状態を示す図である。図２（ｃ）は、アンカー部１２０の外周部１２２から、ベーゴマＢの円錐部へ紐１１０が巻き上がった状態を示す図である。
【００３２】
まず、図２（ａ）に示したように、紐１１０が通された状態のアンカー部１２０を、ベーゴマＢの円錐部の頂点に被せる。そして、図２（ｂ）に示したように、ベーゴマＢの円錐部の頂点と同心円状に紐１１０をアンカー部１２０の外周部から円錐部へ順次巻き付ける。こうして、図２（ｃ）に示したように、ベーゴマＢの円錐部へ紐１１０が巻き上がる。
【００３３】
このように、紐１１０をアンカー部１２０の外周部から円錐部へ順次巻き付けることによって、紐１１０をベーゴマＢに対して、ほぼ同心円状に巻き付けることができる。
【００３４】
次に、ベーゴマ回転具１００を用いたベーゴマの回し方について説明する。
【００３５】
（１）ベーゴマＢの円錐頂点を上にして人差し指と中指と薬指の上に乗せてホールドし、アンカー部１２０をベーゴマＢの円錐頂点に被せて親指でしっかりと押さえる。
（２）紐１１０の端を人差し指の下に挟み込み固定する。
（３）上記と反対側の紐をベーゴマＢの円錐部側から表側へ一回りするように巻き（図２（ｂ）参照）、上記の紐に重ねて固定するように巻き付けて人差し指で押さえる。
（４）アンカー部１２０の外周に紐１１０を反時計回りに一定の強さで引きながら巻き付ける。
（５）ベーゴマＢの最外周部に近づくまで紐１１０を巻き付け（図２（ｃ）参照）、巻き終わったら左手の指で保持する。
（６）紐１１０の他端を右手の中指、薬指、小指で挟んで保持するか巻き付け、ベーゴマＢを右手の親指と人差し指で保持する。以上のようにして、ベーゴマＢをまわすことができる。
【００３６】
（第１の実施形態の効果）
以上説明したように、本実施形態によれば、アンカー部１２０の平面視形状が真円形部分をベーゴマＢの円錐部の頂点に被せることで、紐１１０をアンカー部１２０の外周部からベーゴマＢの円錐部へ順次巻き付けた際に、紐１１０をベーゴマＢに対して、略同心円状に巻き付けることができる。このようにして、紐１１０を引くときの回転力が適正にベーゴマＢに伝わるようにすることが可能である。
【００３７】
また、アンカー部１２０を、シリコンゴム、合成ゴム、エラストマー、合成樹脂又は軟質プラスチックのいずれかで構成されるようにし、アンカー部１２０が、弾力があり摩擦抵抗が大きく滑りにくい材質により構成されることで、紐１１０からの回転力を効果的にベーゴマＢに伝えることができる。
【００３８】
また、アンカー部１２０は、紐１１０を通す構造を有し、紐１１０の任意の部位に装着できるようにしたので、使用者の好みの位置にアンカー部１２０を設けることができる。
【００３９】
以下に、上記第１の実施形態の応用例・変形例について説明する。以下の実施形態では、上記第１の実施形態と異なる点を中心に説明し、上記第１の実施形態と実質的に同様の点については、重複説明を省略する。
【００４０】
（第２の実施形態）
第２の実施形態にかかるベーゴマ回転具２００の構成について、図３を参照しながら説明する。本実施形態のベーゴマ回転具２００は、図３に示したように、紐２１０の所定位置に設けられるアンカー部２２０を備えて構成される。図３（ａ）はアンカー部２２０が紐２１０に装着されている状態を示し、図３（ｂ）はアンカー部２２０がベーゴマＢの円錐頂点に被せられ紐２１０が巻き付けられた状態を示し、図３（ｃ）はアンカー部２２０及びベーゴマＢの円錐部に紐２１０が巻き付けられた状態を示す断面図である。本実施形態では、紐２１０については、上記第１の実施形態の紐１１０と実質的に同様のため重複説明を省略し、アンカー部２２０の構成を中心に説明する。
【００４１】
（アンカー部２２０）
本実施形態のアンカー部２２０は、図３に示したように、略円錐形状（上方から見た平面視は真円形）であり、上記第１の実施形態のアンカー部１２０と同様に、外周部２２２に切り欠き２２２ｂが形成され、この切り欠き２２２ｂに紐２１０が通される。アンカー部２２０の外周部２２２には、紐２１０のガイド溝２２２ｃが形成されている。
【００４２】
ガイド溝２２２ｃは、アンカー部２２０の外周部の上下方向全長にわたって形成されている。紐２１０を巻き付けるときには、このガイド溝２２２ｃに沿って巻き始めることができる。紐２１０は、ガイド溝２２２ｃによってアンカー部２２０の上下方向全長にわたって巻き付けることができる。よって、ベーゴマ回転具２００は、通常のベーゴマよりもさらに余分に紐２１０を巻き付けられる。
【００４３】
アンカー部２２０のその他の構成については、上記第１の実施形態のアンカー部１２０と同様に構成できるため、重複説明を省略する。
【００４４】
以上、本実施形態にかかるベーゴマ回転具２００の構成について説明した。次に、ベーゴマ回転具２００の使用方法（紐の掛け方）について説明する。
【００４５】
図３（ａ）に示した状態のアンカー部２２０を、ベーゴマの円錐部の頂点に被せる。そして、図３（ｂ）に示したように、紐２１０をアンカー部２２０の先端から巻き始め、ガイド溝２２２ｃに沿ってアンカー部２２０の下端に向かって巻いていく。よって、図３（ｃ）に示したように、アンカー部２２０は上下方向全長にわたって紐２１０が巻き付けられる。あとは、上記第１の実施形態と同様に、紐２１０を巻いていくことができる。
【００４６】
このように、ガイド溝２２２ｃによって、アンカー部２２０の上下方向全長にわたって紐２１０が巻き付けられるため、通常のベーゴマよりもさらに余分に紐２１０が巻き付けられる。
【００４７】
ベーゴマ回転具２００の使用方法（紐の掛け方）及びベーゴマの回し方のその他の点については、上記第１の実施形態と実質的に同様であるので、重複説明を省略する。
【００４８】
（第２の実施形態の効果）
以上説明したように、本実施形態によれば、アンカー部２２０の外周部に、紐２１０のガイド溝２２２ｃを設けたので、紐２１０を容易に巻き付けられるとともに、紐２１０をさらにアンカー部２２０にも余分に巻き付けられる。これにより、紐２１０からの回転力を効果的にベーゴマに伝えることができ最高回転数を引き上げられる。なお、紐２１０をガイドする機能を果たしていれば、溝以外の形態、例えば峰形状や突起などであってもよい。
【００４９】
（第３の実施形態）
第３の実施形態にかかるベーゴマ回転具３００について、図４を参照しながら説明する。本実施形態のベーゴマ回転具３００は、図４に示したように、紐３１０に連結されるアンカー部３２０を備えて構成される。紐３１０については、上記第１の実施形態の紐１１０と実質的に同様のため重複説明を省略する。
【００５０】
上記第１の実施形態では、アンカー部１２０を紐１１０の好みの位置に取り付けられる例について説明した（図１、図２）。本実施形態では、アンカー部３２０が紐３１０の予め所定位置に連結される構成について説明する。本実施形態では、上記第１の実施形態（図１）で説明した紐係止部１２４やロック部１２６のような構成は不要である。
【００５１】
アンカー部３２０は、図４（ａ）に示したように、リング状の形状をしている。アンカー部３２０の両端には、紐３１０より平たい帯紐部３２８が設けられている。なお、帯紐部３２８は、アンカー部３２０とは別途製作してアンカー部３２０に連結してもよく、あるいは、アンカー部３２０と帯紐部３２８を一体成型してもよい。帯紐部３２８は、紐３１０と比べて薄く、厚み１ｍｍ程度できている。帯紐部３２８の先には紐３１０が結合されている。
【００５２】
また、アンカー部３２０の底面は、図４（ｃ）に示したように、ベーゴマＢの円錐部に対応するテーパー形状である。アンカー部３２０の底面が、ベーゴマＢの円錐部に密着する面積が大きくなるので、アンカー部３２０がずれにくい、このため紐３１０が巻きやすくなるとともに、紐３１０からの回転力を効果的にベーゴマＢに伝えることができる。
【００５３】
帯紐部３２８と紐３１０との結合については、任意の結合方法を採用できる。例えば、図５に示した方法を採用することができる。図５は、帯紐部３２８と紐３１０との連結の仕方を示す図である。帯紐部３２８と紐３１０とは、図５（ａ）に示したように、かしめによる結合であってもよく、図５（ｂ）に示したように、接着による結合であってもよく、図５（ｃ）に示したように、溶着による結合であってもよい。
【００５４】
以上、本実施形態にかかるベーゴマ回転具３００の構成について説明した。次に、ベーゴマ回転具３００の使用方法（紐の掛け方）について説明する。
【００５５】
図４（ａ）に示したように、アンカー部３２０を、ベーゴマＢの円錐部の頂点に被せる。そして、図４（ｂ）に示したように、帯紐部３２８を、円錐部から平面部を通って再び円錐部の頂点方向に一回りするようにベーゴマＢに巻き付ける。そして、帯紐部３２８の残りの部分と紐３１０をアンカー部３２０の外周部から、ベーゴマＢの円錐部へ順次巻き付ける。こうして、図４（ｃ）に示したように、ベーゴマＢの円錐部へ紐３１０が巻き上がる。
【００５６】
紐３１０は、帯紐部３２８の上から円錐部に巻き付けられることになるが、帯紐部３２８は、紐３１０と比べて薄く、厚み１ｍｍ程度できている。このため、帯紐部３２８の上部に紐３１０が巻かれたときに、巻き方に影響を与えにくい。
【００５７】
ベーゴマ回転具３００の使用方法（紐の掛け方）のその他の点については、上記第１の実施形態と実質的に同様であるので、重複説明を省略する。
【００５８】
次に、ベーゴマ回転具３００を用いたベーゴマの回し方について説明する。
【００５９】
（１）ベーゴマＢの円錐頂点を上にして人差し指と中指と薬指の上に乗せてホールドし、アンカー部１２０をベーゴマＢの円錐頂点に被せて親指でしっかりと押さえる。
（２）紐３１０の端の帯紐部３２８を人差し指の下に挟み込み固定する。
（３）上記と反対側の帯紐部３２８をベーゴマＢの円錐部側から表側へ一回りするように巻き（図４（ｂ）参照）、上記の帯紐部３２８に重ねて固定するように巻き付けて人差し指で押さえる。
（４）アンカー部３２０の外周に紐３１０を反時計回りに一定の強さで引きながら巻き付ける。
（５）ベーゴマＢの最外周部に近づくまで紐３１０を巻き付け（図４（ｃ）参照）、巻き終わったら左手の指で保持する。
（６）紐３１０の他端を右手の中指、薬指、小指で挟んで保持するか巻き付け、ベーゴマＢを右手の親指と人差し指で保持する。以上のようにして、ベーゴマＢをまわすことができる。
【００６０】
（第３の実施形態の効果）
以上説明したように、本実施形態によれば、アンカー部３２０に平たい帯紐部３２８を設け、ベーゴマＢの円錐頂点に被せるように装着して紐３１０を巻き付ける際に、紐３１０との重なり部分の厚さを薄くするようにしたことで、紐３１０をベーゴマＢに対してより平らに巻きつけることができる。このようにして、紐３１０からの回転力を効果的にベーゴマＢに伝えることができる。
【００６１】
また、紐３１０と帯紐部３２８とは、カシメ、接着又は縫合のいずれかにより結合されるようにしたので、紐３１０と帯紐部３２８とを容易に結合することができる。また、必要に応じて紐３１０だけを交換することもできる。
【００６２】
（第４の実施形態）
第４の実施形態にかかるベーゴマ回転具４００について、図６を参照しながら説明する。本実施形態のベーゴマ回転具４００は、図６に示したように、紐４１０に連結されるアンカー部４２０を備えて構成される。図６（ａ）はアンカー部４２０の拡張時を示し、図６（ｂ）はアンカー部４２０の収縮時を示し、図６（ｃ）はアンカー部４２０のリリース時を示す。本実施形態では、紐４１０については、上記第１の実施形態の紐１１０と実質的に同様のため重複説明を省略し、アンカー部４２０の構成を中心に説明する。
【００６３】
（アンカー部４２０）
本実施形態のアンカー部４２０は、部分リング形状（上方から見た平面視は真円形）であり、図６（ａ）に示したように、円周方向に４つのパーツ４２０−１〜４２０−４に分割されており、隣り合うパーツ４２０−１〜４２０−４が肉薄でフレキシブルなアーム４２０ａを介して連結されている。後述するように、アンカー部４２０に紐４１０を掛けたときに、図６（ｂ）に示したように、アーム４２０ａが収縮して、４つのパーツ４２０−１〜４２０−４が縮径する。このとき、４つのパーツ４２０−１〜４２０−４が密着して、上記第３の実施形態のようなリング状を形成する。
【００６４】
また、本実施形態では、アンカー部４２０の両端に帯紐部４２８（４２８−１、４２８−２）が設けられている。なお、帯紐部４２８は、アンカー部４２０とは別途製作してアンカー部４２０に連結してもよく、あるいは、アンカー部４２０と帯紐部４２８を一体成型してもよい。帯紐部４２８は、紐４１０と比べて薄く、厚み１ｍｍ程度できている。このため、帯紐部４２８の上部に紐４１０が巻かれたときに、巻き方に影響を与えにくい。
【００６５】
帯紐部４２８−１の先端は、アンカー部４２０のパーツ４２０−１、４２０−２に連結されている。帯紐部４２８−２の先端は、アンカー部４２０のパーツ４２０−３、４２０−４に連結されている。
【００６６】
帯紐部４２８と紐４１０との結合については、任意の結合方法を採用できる。例えば、上記第３の実施形態（図５）と同様の方法を採用することができる。すなわち、帯紐部４２８と紐４１０とは、図５（ａ）に示したように、かしめによる結合であってもよく、図５（ｂ）に示したように、接着による結合であってもよく、図５（ｃ）に示したように、溶着による結合であってもよい。
【００６７】
以上、本実施形態にかかるベーゴマ回転具４００の構成について説明した。次に、ベーゴマ回転具４００の使用方法（紐の掛け方）について説明する。
【００６８】
図６（ａ）に示した状態のアンカー部４２０を、ベーゴマ（図示せず）の円錐部の頂点に被せる。そして、図６（ｂ）に示したように、紐４１０を巻くと、アンカー部４２０の４つのパーツ４２０−１〜４２０−４とアーム４２０ａの作用によって、アンカー部４２０が収縮してリング状になる。あとは、上記第１の実施形態と同様に、紐４１０を巻いていくことができる。
【００６９】
ベーゴマを手から離し紐４１０を引き終わると、図６（ｃ）に示したように、アンカー部４２０が拡張（リリース）する。これにより、アンカー部４２０（及び紐４１０）がベーゴマから外れやすくなる。
【００７０】
ベーゴマ回転具４００の使用方法（紐の掛け方）及びベーゴマの回し方のその他の点については、上記実施形態と実質的に同様であるので、重複説明を省略する。
【００７１】
（第４の実施形態の効果）
以上説明したように、本実施形態によれば、アンカー部４２０をパーツ４２０−１〜４２０−４に分割しそれぞれをフレキシブルなアーム４２０ａでつなぎ、間隔を縮められる形状としたことで、紐４１０を巻くと縮まって真円形を形成する。このため、紐４１０の引き終わりのときには自らの復元力により素早く広がって、元の形状に復元する。このようにして、アンカー部４２０が、ベーゴマＢの円錐頂点から容易に離脱できる。
【００７２】
（第５の実施形態）
第５の実施形態にかかるベーゴマ回転具５００の構成について、図７を参照しながら説明する。本実施形態のベーゴマ回転具５００は、図７に示したように、紐５１０に連結されるアンカー部５２０を備えて構成される。図７（ａ）はベーゴマ回転具５００の斜視図であり、図７（ｂ）はベーゴマ回転具５００を側方から見た断面図である。紐５１０については、上記第１の実施形態の紐１１０と実質的に同様のため重複説明を省略し、アンカー部５２０の構成を中心に説明する。
【００７３】
（アンカー部５２０）
アンカー部５２０は、第１の実施形態（図１、図２）と同様のリング状である。アンカー部５２０の両端には、第３の実施形態（図４）と同様に、帯紐部５２８が形成されている。帯紐部５２８の先には紐５１０が結合されている。
【００７４】
そして、本実施形態のアンカー部５２０は、図７（ａ）、（ｂ）に示したように、フランジ部５２９を備えたことを特徴とする。フランジ部５２９は、紐５１０を巻き付ける際に紐５１０の下敷きとなる部分である。フランジ部５２９は、帯紐部５２８と重ならない位置に、ベーゴマＢの円錐部に対応するテーパーに形成される。
【００７５】
また、アンカー部５２０の底面は、図７（ｂ）に示したように、ベーゴマＢの円錐部に対応するテーパー形状である。アンカー部５２０の底面が、ベーゴマＢの円錐部に密着する面積が大きくなるので、アンカー部５２０がずれにくい、このため紐５１０が巻きやすくなるとともに、紐５１０からの回転力を効果的にベーゴマＢに伝えることができる。
【００７６】
以上、本実施形態にかかるベーゴマ回転具５００の構成について説明した。次に、ベーゴマ回転具５００の使用方法（紐の掛け方）について説明する。
【００７７】
図７（ａ）に示したように、アンカー部５２０を、ベーゴマＢの円錐部の頂点に被せる。これにより、図７（ｂ）に示したように、ベーゴマＢは、円錐部の頂点にはアンカー部５２０が円錐部の上下方向の途中まではフランジ部５２９が被せられることになる。この後、第３の実施形態と同様に帯紐部５２８と紐５１０とをフランジ部５２９及び円錐部に巻き付ける。
【００７８】
ベーゴマＢの回し方のその他の点については、上記第１の実施形態と実質的に同様であるので、重複説明を省略する。
【００７９】
（第５の実施形態の効果）
以上説明したように、本実施形態によれば、アンカー部５２０のベーゴマへの密着度を向上させることにより回転力を効率よく伝達できる。
【００８０】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００８１】
例えば、上記第１の実施形態では、アンカー部１２０の形状として、ベーゴマＢの円錐部の頂点に被せる部分の外周部の平面視形状が真円形の例について説明したが、本発明はこれに限定されない。アンカー部１２０の形状として、ベーゴマＢの円錐部の頂点に被せる部分の外周部の平面視形状が、正多角形であってもよい。
【００８２】
また、上記第１の実施形態では、アンカー部１２０は、シリコンゴム、合成ゴム、エラストマー、合成樹脂又は軟質プラスチックのいずれかで構成されることについて説明したが、本発明はこれに限定されず、他の材料でアンカー部を構成してもよい。
【００８３】
例えば、上記第１の実施形態では、アンカー部１２０の切り欠き１２２ｂに紐１１０を通す構造について説明したが、本発明はこれに限定されない。例えば、アンカー部１２０に穴を設け、その穴に紐１１０を通す構造であってもよい。また、アンカー部をクリップや洗濯バサミのような形状とすることで、紐１１０を挟み込む構造としてもよい。
【００８４】
また、上記第３の実施形態では、紐３１０と帯紐部３２８とは、カシメ、接着又は縫合のいずれかにより結合されることについて説明した（図５）が、本発明はこれに限定されず、紐３１０と帯紐部３２８とは任意の結合の仕方でよい。紐３１０と帯紐部３２８との結合は、必要に応じて容易に分離できるものであってもよく、あるいは、永久的に固着するようなものであってもよい。
【００８５】
上記実施形態では、紐をベーゴマに同心円状に巻くための構成として、円形（円柱形）や、正多角形（正多角形柱）について説明したが、本発明はこれに限定されない。紐が同心円状に巻ける形状であれば、例えば、ルーローの三角形のような、回転対称の図形を採用してもよい。
【００８６】
以上説明した各実施形態、変更例及び応用例の内容は、適宜組み合わせて実施可能である。例えば、第１の実施形態と第４の実施形態とを組み合わせることができる。上記第１の実施形態の肉薄部１２２ａ（図１）は、第４の実施形態（図６）のような外周部を縮径させることを目的とするものではない。しかし、上記第１の実施形態の肉薄部を、第４の実施形態のアームのような構成にしてもよい。また、上記第１の実施形態においても、第４の実施形態の帯紐部４２８のような構成を採用してもよい。すなわち、第１の実施形態のアンカー部１２０に、第４の実施形態の帯紐部４２８のような構成を介して、紐１１０を連結してもよい。その他の実施形態、変更例及び応用例の組み合わせも、当業者であれば容易に実施可能である。
【００８７】
また、ベーゴマ用回転具とは便宜上付けた名称であり、紐とアンカー部のセットをベーゴマ用回転具と称してもよく、紐とアンカー部とベーゴマのセットをベーゴマ用回転具と称してもよい。すなわち、商取引の対象としては、アンカー部のみを商取引の対象としてもよく、紐とアンカー部とをセットにしたり、紐とアンカー部とベーゴマのセットにして商取引の対象としてもよい。
【符号の説明】
【００８８】
１００、２００、３００、４００、５００  ベーゴマ回転具
１１０、２１０、３１０、４１０、５１０  紐
１２０、２２０、３２０、４２０、５２０  アンカー部
１２２  外周部
１２４  紐係止部
１２６  ロック部
【図１】
2018000566.tif 000003
【図２】
2018000566.tif 000004
【図３】
2018000566.tif 000005
【図４】
2018000566.tif 000006
【図５】
2018000566.tif 000007
【図６】
2018000566.tif 000008
【図７】
2018000566.tif 000009